(57)【要約】【課題】軸筒に対してしっかりと嵌合させることができるキャップを備えた筆記具を提供する。【解決手段】両頭式筆記具１が、軸筒１０と、軸筒１０の少なくとも一方の端部に設けられた筆記部３と、筆記部３を覆い且つ軸筒１０に嵌合する非円形の開口端を有するキャップ３０と、を具備し、筆記部３が、軸筒１０の中心軸線から離間した位置に配置され、キャップ３０と軸筒１０との嵌合位置が、キャップ３０の開口端近から離間している。【選択図】図３
2019202539.tif 000002
【特許請求の範囲】
【請求項１】
軸筒と、前記軸筒の少なくとも一方の端部に設けられた筆記部と、前記筆記部を覆い且つ前記軸筒に嵌合する非円形の開口端を有するキャップと、を具備し、
前記筆記部が、前記軸筒の中心軸線から離間した位置に配置され、
前記キャップと前記軸筒との嵌合位置が、前記キャップの開口端近から離間していることを特徴とする筆記具。
【請求項２】
前記筆記部が前記軸筒の両方の端部に設けられ、前記筆記部の各々を覆う２つの前記キャップを具備することを特徴とする請求項１に記載の筆記具。
【請求項３】
前記キャップが軸対称形状であることを特徴とする請求項１又は２に記載の筆記具。
【請求項４】
前記キャップが、前記軸筒の両方の端部に嵌合可能であることを特徴とする請求項１乃至３のいずれか一項に記載の筆記具。
【請求項５】
当該筆記具が熱変色性筆記具であり、前記キャップの表面硬度が、デュロメータＤ硬度５０以上、８０未満であることを特徴とする請求項１乃至４のいずれか一項に記載の筆記具。
【発明の詳細な説明】
【技術分野】
【０００１】
本発明は、筆記具、特に両頭式の筆記具に関する。
【背景技術】
【０００２】
軸筒の両方の端部に筆記部を有する、いわゆる両頭式筆記具が公知である（例えば、特許文献１）。特許文献１に記載の両頭式筆記具は、いずれの端部に対しても着脱可能に嵌合する２つのキャップを有している（特許文献１）。
【先行技術文献】
【特許文献】
【０００３】
【特許文献１】実公平２−８９９５号公報
【発明の概要】
【発明が解決しようとする課題】
【０００４】
特許文献１に記載のキャップは、変形によって、十分な嵌合力を得ることができない場合がある。すなわち、特許文献１に記載のキャップは、開口端に嵌合部が設けられており、対応する軸筒の嵌合部と嵌合する。キャップの開口端は、その形状に起因して変形し易い。その結果、特許文献１に記載の両頭式筆記具を長期間に亘り使用すると、キャップの嵌合部が軸筒の嵌合部と適切に嵌合しなくなり、意図せずキャップが外れてしまう可能性がある。特に、筆記体の筆記部が軸筒の中心軸線上ではなく中心軸線から離間した位置に配置される特許文献１に記載のような筆記具の場合、キャップの開口端が、円形ではないことから、加わる力の向きによってはより変形し易くなる。また、キャップを消去部材として使用するよう構成されている場合、消去動作時に強く把持することによって、より変形し易くなる。
【０００５】
本発明は、軸筒に対してしっかりと嵌合させることができるキャップを備えた筆記具を提供することを目的とする。
【課題を解決するための手段】
【０００６】
本発明の一態様によれば、軸筒と、前記軸筒の少なくとも一方の端部に設けられた筆記部と、前記筆記部を覆い且つ前記軸筒に嵌合する非円形の開口端を有するキャップと、を具備し、前記筆記部が、前記軸筒の中心軸線から離間した位置に配置され、前記キャップと前記軸筒との嵌合位置が、前記キャップの開口端近から離間していることを特徴とする筆記具が提供される。
【０００７】
前記筆記部が前記軸筒の両方の端部に設けられ、前記筆記部の各々を覆う２つの前記キャップを具備してもよい。前記キャップが軸対称形状であってもよい。前記キャップが、前記軸筒の両方の端部に嵌合可能であってもよい。当該筆記具が熱変色性筆記具であり、キャップと変色具の両方の機能を好適に得るため、前記キャップの表面硬度が、デュロメータＤ硬度５０以上、８０未満であってもよい。
【発明の効果】
【０００８】
本発明の態様によれば、軸筒に対してしっかりと嵌合させることができるキャップを備えた筆記具を提供するという共通の効果を奏する。
【図面の簡単な説明】
【０００９】
【図１】図１は、本発明の実施形態による両頭式筆記具の斜視図である。
【図２】図２は、図１の両頭式筆記具のキャップを外した状態の斜視図である。
【図３】図３は、図１の両頭式筆記具の縦断面図である。
【図４】図４は、図１の両頭式筆記具の別の縦断面図である。
【図５】図５は、軸筒の縦断面図である。
【図６】図６は、取付部材の斜視図である。
【図７】図７は、取付部材の縦断面図である。
【図８】図８は、キャップの斜視図である。
【図９】図９は、キャップの縦断面図である。
【図１０】図１０は、図３におけるＸ部の拡大図である。
【図１１】図１１は、図４におけるＹ部の拡大図である。
【図１２】図１２は、両頭式筆記具セットの正面図である。
【発明を実施するための形態】
【００１０】
以下、図面を参照しながら本発明の実施の形態を詳細に説明する。全図面に渡り、対応する構成要素には共通の参照符号を付す。
【００１１】
図１は、本発明の実施形態による両頭式筆記具１の斜視図であり、図２は、図１の両頭式筆記具１のキャップ３０を外した状態の斜視図であり、図３は、図１の両頭式筆記具１の縦断面図であり、図４は、図１の両頭式筆記具の別の縦断面図である。
【００１２】
両頭式筆記具１は、一端に筆記部３を備えた筆記体である２つのリフィル２と、側面にクリップ１１を備えた軸筒１０と、２つの取付部材２０と、２つのキャップ３０とを有している。軸筒１０内において、２つのリフィル２の各々は並列に配置されている。両頭式筆記具１は、２つの取付部材２０を軸筒１０の各々の端部に対して嵌合させて、筆記部３、具体的にはリフィル２を軸筒１０に対して取り付けている。嵌合した取付部材２０を含めて軸筒１０と称してもよい。
【００１３】
「軸線」又は「中心軸線」とは、特に断りのない限り、両頭式筆記具１の中心軸線を意味する。両頭式筆記具１又は軸筒１０の軸線方向において、クリップ１１が設けられている側とは反対側の端部を第１端部Ａと称し、クリップ１１が設けられている側の端部を第２端部Ｂと称する。なお、リフィル２については、筆記部３側を「前」側と規定し、筆記部３とは反対側を「後」側と規定する。
【００１４】
図５は、軸筒１０の縦断面図である。軸筒１０は、筒状に形成されている。軸筒１０の横断面形状は、全体として楕円形状又は扁平形状であるが、矩形であってもよい。軸筒１０の横断方向において、クリップ１１が設けられている側の側面を第１側面１２と称し、クリップ１１が設けられている側とは反対側の側面を第２側面１３と称する。第１側面１２及び第２側面１３は、軸線方向に延びる曲面又は複数の平坦面からなり、第１側面１２と第２側面１３とは、平行に配置された２つの平坦面１４によって接続される（図１乃至図４）。クリップ１１が対向する第１側面１２の部分には、軸線方向に延びる貫通孔１５が形成されている。
【００１５】
第１端部Ａの開口端近傍の内面には、第１側面１２側に第１凹部１６が形成され、第２側面１３側に第２凹部１７が形成されている。第２端部Ｂの開口端近傍の内面には、第２側面１３側に第３凹部１８が形成されている。平坦面１４の各々の内面には、軸線方向中央よりも第２端部Ｂ側の部分において、係合突起１９が対向して形成されている。
【００１６】
図６は、取付部材２０の斜視図であり、図７は、取付部材２０の縦断面図である。取付部材２０は、全体として中空の部材であり、軸筒１０の内部に挿入されて嵌合する挿入部２１と、軸筒１０に嵌合した状態で軸筒１０の外部に露出する保持部２２とを有している。
【００１７】
挿入部２１において、取付部材２０を軸筒１０に取り付けた状態で、軸筒１０の係合突起１９に対応する位置、すなわち取付部材２０の開口端近傍の外面に、幅広の係合凹部２３が形成されている。また、挿入部２１において、取付部材２０を軸筒１０に取り付けた状態で、軸筒１０の第１凹部１６に対応する位置に第１凸部２４が形成され、軸筒１０の第２凹部１７に対応する位置に第２凸部２５が形成されている。
【００１８】
保持部２２は、先端部２６を有している。先端部２６は、両頭式筆記具ではない一般的な筆記具の先端と同様の形状をしている。したがって、先端部２６は、円筒状の部分に続く截頭円錐状の部分を有し、頂部にリフィル２の筆記部３を突出させるための開口を有している。先端部２６の円筒状の部分の外周面には、環状突起２７が形成されている。
【００１９】
先端部２６は、取付部材２０を軸筒１０に取り付けた状態で、第１側面１２側又は第２側面１３側の一方に偏って形成され、対応する第１側面１２側又は第２側面１３側の他方には、斜面２８が形成されている。保持部２２の内面には、軸線方向に延びる複数のリブ２９が形成されている。保持部２２の内面において、先端部２６側に形成されたリブ２９は、先端部２６側に配置されたリフィル２の前端部を保持し、斜面２８側に形成されたリブ２９は、斜面２８側に配置されたリフィル２の後端部を保持する。
【００２０】
図８は、キャップ３０の斜視図であり、図９は、キャップ３０の縦断面図である。キャップ３０は、リフィル２の筆記部３を保護するために覆う部材であり、軸対称形状である。軸対称形状であることにより、キャップ３０が外周方向に１８０°回転を行った状態にしても軸筒１０への取り付けをすることができる。キャップ３０の一端は開口し、キャップ３０の他端は通気口３１を除き閉鎖している。キャップ３０の開口端は、全体として非円形に形成されている。軸筒１０の平坦面１４に対応するキャップ３０の開口端には、２つの切り欠き部３２が形成され、それに続くキャップ３０の外面には、滑り止めとして、複数の溝からなる把持部３３が形成されている。キャップ３０の開口端近傍から離間した内面には、対向する２つの分離壁３４が形成されている。分離壁３４を含む、略同一横断面状には、複数の微小突起３５が形成されている。通気孔３１は、幼児等がキャップ３０を誤って飲み込んだ際に通気する構造が好適である。リフィル２に収容されたインクが、揮発し易いものである場合は、インクの乾燥を防止するために通気孔３１を設けなくてもよい。
【００２１】
次に、両頭式筆記具１の組み立てについて説明する。図３に示されるように、軸筒１０内において、一方のリフィル２は、第１側面１２側に配置され、その筆記部３は、第１端部Ａから外方へ突出している。他方のリフィル２は、第２側面１３側に配置され、その筆記部３は、第２端部Ｂから外方へ突出している。したがって、両頭式筆記具１において、いずれのリフィル２、すなわちいずれの筆記部３も、軸筒１０の中心軸線から離間した位置に配置され、中心軸線とは一致していない。なお、軸筒１０内において、第１側面１２側に配置されたリフィル２の筆記部３を第２端部Ｂから外方へ突出させ、第２側面１３側に配置されたリフィル２の筆記部３を第１端部Ａから外方へ突出させるように構成してもよい。
【００２２】
リフィル２は、２つの取付部材２０によって保持されることによって、軸筒１０内に固定される。すなわち、図３において、第１側面１２側に配置されたリフィル２において、前端部が軸筒１０の第１端部Ａに嵌合する取付部材２０の先端部２６側のリブ２９によって保持され、且つ、後端部が軸筒１０の第２端部Ｂに嵌合する取付部材２０の斜面２８側のリブ２９によって保持される。他方、第２側面１３側に配置されたリフィル２において、前端部が軸筒１０の第２端部Ｂに嵌合する取付部材２０の先端部２６側のリブ２９によって保持され、且つ、後端部が軸筒１０の第１端部Ａに嵌合する取付部材２０の斜面２８側のリブ２９によって保持される。
【００２３】
キャップ３０は、取付部材２０の先端部２６と嵌合する。詳細には、キャップ３０の微小突起３５が、先端部２６の環状突起２７を乗り越えて係合することによって取付部材２０とキャップ３０とが嵌合する。キャップ３０の微小突起３５は、キャップ３０の開口端近傍から離間した内側に形成されている。言い換えると、キャップ３０と、取付部材２０、すなわち軸筒１０との嵌合位置が、キャップ３０の開口端近から離間している。そのため、仮にキャップ３０の開口端が変形したとしても、開口端よりも内側の微小突起３５が配置されているキャップ３０の部分は変形しない。したがって、キャップ３０の開口端の変形は、取付部材２０の先端部２６とキャップ３０との嵌合に影響を与えることはなく、キャップ３０を軸筒１０に対してしっかりと嵌合させることができる。
【００２４】
嵌合位置が、キャップ３０の開口端近から離間しているとは、嵌合位置が、キャップ３０の嵌合位置近傍が変形しない程度に開口端又は開口端近傍から離間している、例えば筆記部３近傍又は筆記部３寄りにあることをいう。よって、嵌合位置が、キャップ３０の開口端近から離間している限りにおいて、突起の構成及び配置は任意に採用しうる。
【００２５】
キャップ３０は、軸筒１０の両方の端部、すなわち両方の端部に嵌合した取付部材２０の各々に嵌合可能である。キャップ３０が取付部材２０と嵌合した状態では、リフィル２及び対応する先端部２６は、キャップ３０内において、分離壁３４に隔てられた一方の側に配置される。キャップ３０と取付部材２０との間で画成される内部空間は、１２００ｍｍ2未満であることが好ましい。
【００２６】
図１０は、図３におけるＸ部、すなわち第１端部Ａの拡大図である。図１０に示されるように、軸筒１０の第１凹部１６は、開口端近傍に形成された凹部１６ａと、凹部１６ａよりも軸筒１０の内部に形成された係合突起１６ｂとを有している。軸筒１０の第２凹部１７は、開口端近傍に形成された凹部１７ａと、凹部１７ａよりも軸筒１０の内部に形成された係合突起１７ｂとを有している。第１凹部１６の凹部１６ａは、第２凹部１７の凹部１７ａと比べて、軸線方向長さがより短くなるように形成されている。なお、第３凹部１８にも、第１凹部１６と同様の凹部１８ａが開口端近傍に形成されている（図５）。
【００２７】
取付部材２０の第１凸部２４は、第１凹部１６の凹部１６ａと相補的に形成された突起２４ａと、突起２４ａよりも開口端側に形成された係合突起２４ｂとを有している。取付部材２０の第２凸部２５は、第２凹部１７の凹部１７ａと相補的に形成された突起２５ａと、突起２５ａよりも開口端側に形成された係合突起２５ｂとを有している。
【００２８】
図１０に示されるように、取付部材２０を軸筒１０に取り付けた状態では、軸筒１０の第１側面１２側において軸筒１０の係合突起１６ｂと取付部材２０の係合突起２４ｂとが係合し、且つ、軸筒１０の第２側面１３側において軸筒１０の係合突起１７ｂと取付部材２０の係合突起２５ｂとが係合している。それによって、第１端部Ａに嵌合した取付部材２０は軸筒１０から容易には抜けないように構成される。取付部材２０の係合突起２４ｂ及び係合突起２５ｂは、軸筒１０と係合する第１係合部を構成する。
【００２９】
取付部材２０を、中心軸線回りに１８０度回転させた状態では、例えば、第１端部Ａの取付部材２０の先端部２６が第２側面１３側に配置された状態では、取付部材２０を軸筒１０に対して嵌合させることができない。すなわち、図１０に示されるように、第１凹部１６の凹部１６ａは、第２凹部１７の凹部１７ａと比べて、軸線方向長さがより短くなるように形成されている。したがって、この状態で取付部材２０を軸筒１０内に挿入しようとしたとしても、第２凸部２５の突起２５ａが、第１凹部１６の凹部１６ａの壁面と当接し、取付部材２０の挿入が阻止される。
【００３０】
同様に、取付部材２０を軸筒１０の第２端部Ｂに対して嵌合させる場合、取付部材２０の第１凸部２４が軸筒１０の第３凹部１８側に配置される状態だと嵌合可能であるが、取付部材２０の第２凸部２５が、軸筒１０の第３凹部１８側に配置される状態だと、嵌合させることができない。したがって、取付部材２０が、軸筒１０の中心軸線回りにおいて、所定の位置でのみ軸筒１０に対して嵌合するように形成されている。その結果、軸筒１０に対する取付部材２０の誤った向きの嵌合を防止し、取付部材２０を意図した向きに嵌合させることができる。
【００３１】
図１１は、図４におけるＹ部の拡大図である。上述したように、平坦面１４の各々の内面には、軸線方向中央よりも第２端部Ｂ側の部分において、係合突起１９が対向して形成されている。このため、図１１に示されるように、第２端部Ｂに挿入された取付部材２０は、係合凹部２３と軸筒１０の係合突起１９とが係合する。それによって、第２端部Ｂに嵌合した取付部材２０は軸筒１０から容易には抜けないように構成される。取付部材２０の係合凹部２３は、軸筒１０と係合する第２係合部を構成する。なお、第１端部Ａに挿入された取付部材２０は、対応する軸筒１０の内面に係合突起１９が形成されていないため、係合凹部２３と軸筒１０とが係合することはない。
【００３２】
以上より、取付部材２０が、第１係合部と第２係合部とを有し、取付部材２０の一方が第１係合部によって軸筒１０と係合し、取付部材２０の他方が第２係合部によって軸筒１０と係合している。そのため、取付部材２０の各々に製造時の寸法のばらつきがあったとしても、軸筒１０との係合位置が互いに異なることから、その影響を最小限に抑えることが可能となる。その結果、取付部材２０と軸筒１０との間のがたつきがないという効果を奏する。また、こうした効果を奏する限りにおいて、同一の形状を有する２つの取付部材２０において、第１係合部と第２係合部の構成及び配置は任意に採用しうる。上述した実施形態において、第１係合部と第２係合部とは、軸線方向において離間して配置されている。
【００３３】
図１に示されるように、軸筒１０に対してキャップ３０を嵌合させた状態で、キャップ３０の切り欠き部３２から取付部材２０の一部が露出している。このため、取付部材２０を、取付部材２０が保持するリフィル２に収容されたインクと同色とすることによって、軸筒１０に対してキャップ３０を嵌合させた状態であっても、キャップ３０によって覆われている筆記部３のインク色を知ることが可能となる。図３に示されるように、両頭式筆記具１は、２つのリフィル２が、軸線方向の大部分に亘り、並列した状態で軸筒１０内に配置されている。したがって、両頭式筆記具１は、軸筒内に１本のリフィルを収容する通常の筆記具と同一のリフィルを使用しながら、略同一の全長で構成することができる。
【００３４】
２つのリフィル２を並列させることによって、軸筒１０の外面に、通常の筆記具の軸筒よりも広い面積を有する平坦面１４を形成することができる。その結果、平坦面１４に様々なデザインを施すことが可能となる。平坦面１４には、例えば贈答用に名入れを施してもよい。また、宣伝広告等の目的のため、会社名称や会社のロゴ等を施してもよい。なお、図１及び図２に示されるように、軸筒１０の貫通孔１５から取付部材２０の外面が露出している。この露出する取付部材２０の外面に、さらにデザインを施してもよい。さらに、両頭式筆記具１を複数のセットとすることによって、一連一体となるデザインを施してもよい。
【００３５】
図１２は、両頭式筆記具セット１００の正面図である。両頭式筆記具セット１００には、複数の両頭式筆記具１の各々の軸筒１０、具体的には平坦面１４に、同一配向で隣接配置すると一連一体となるデザイン１０１が施されている。ここでデザインとは、文字、記号、絵、形状（立体形状含む。）、模様若しくは色彩又はこれらの結合等をいう。両頭式筆記具セット１００は、３つの両頭式筆記具１から構成されるが、２つ又は４つ以上の両頭式筆記具１から構成されるようにしてもよい。デザイン１０１の例として、図１２には、アルファベットの「ＮＡ」が示されている。
【００３６】
両頭式筆記具セット１００の複数の両頭式筆記具１の各々に、それ単体で完成するような異なるデザインを設けてもよい。例えば、２つの両頭式筆記具１を備えた両頭式筆記具セット１００において、一方の両頭式筆記具１の軸筒１０に男の子の絵を配置し、他方の両頭式筆記具１の軸筒１０に女の子の絵を配置し、これらを並べると、男の子と女の子とが仲良く並んでいるようなデザインにしてもよい。また、複数の両頭式筆記具１の各々にアルファベット１文字を配置し、これらを隣接配置することによって自分の名前となるようにしてもよい。
【００３７】
デザイン１０１は、例えば、フィルムの転写によって施される。転写フィルムを、白色ベタ層を有しないインクジェット方式で像形成することによって、優れた装飾性を備えたノベルティー効果の高い両頭式筆記具セット１００とすることができる。デザイン１０１を、塗装や刻印等によって施してもよい。
【００３８】
両頭式筆記具セット１００をより綺麗に配列し且つ店頭に陳列するため、両頭式筆記具セット１００を筆記具ケースに収容してもよい。筆記具ケースは、一連一体となったデザイン１０１が視認可能なように、少なくとも正面が透明な箱形状のケースであってもよい。なお、筆記具ケースは、その一部を透明にしてデザイン１０１を視認可能とする限りにおいて、箱形状ではなく、封筒のような矩形の袋状であってもよく、その他形状であってもよい。
【００３９】
筆記具ケースに用いる材料は、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の樹脂材料やガラス材料から構成されるものであり、可視光線透過率が５０％以上、より好ましくは８０％以上となる材料から構成されることが望ましい。可視光線透過率は、多光源測色計を用いて反射率を測定することで求めることができる。さらに、紫外線吸収剤として、ベンゾトリアゾール系化合物、ベンゾフェノン系化合物、サリシレート系化合物などを含ませることによって、印刷されたデザイン１０１への変色、退色を防ぐことができる。
【００４０】
両頭式筆記具セット１００によれば、複数の両頭式筆記具１を隣接配置したときにデザインに一体感があり、ユーザーに両頭式筆記具１を複数本セットにして購入したいという意欲を生じさせる効果を奏する。
【００４１】
リフィル２として、ボールペン用リフィル、マーキングペン、タッチペン、消しゴム又は摩擦体等のその他種類のリフィルとしてもよい。２つのリフィル２は、互いに異なる色、互いに異なる筆跡幅（ボール径）等を組み合わせてもよい。また、キャップ３０を両頭式筆記具１による筆跡を消去するための消去部材としてもよい。
【００４２】
リフィル２の少なくとも１つを、熱変色性色材を含有する熱変色性インクを収容したリフィルとしてもよい。この場合、両頭式筆記具１は熱変色性筆記具であり、キャップ３０を消去部材としての摩擦体としてもよい。両頭式筆記具１による筆跡は、キャップ３０によって擦過した際に生じる摩擦熱等によって、熱変色可能である。
【００４３】
ここで、熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた両頭式筆記具１では上記第２色を無色とし、第１色（例えば赤）で筆記した描線を昇温させて無色とすることを、ここでは「消去する」ということとする。したがって、描線が筆記された筆記面等に対して摩擦体によって擦過して摩擦熱を生じさせ、それによって描線を無色に変化、すなわち消去させる。なお、当然のことながら上記第２色は、無色以外の有色でもよい。
【００４４】
熱変色性色材となる熱変色性マイクロカプセル顔料としては、摩擦熱等の熱により変色するもの、例えば、有色から無色、有色から有色、無色から有色などとなる機能を有するものであれば、特に限定されず、種々のものを用いることができ、少なくともロイコ色素、顕色剤、変色温度調整剤を含む熱変色性組成物を、マイクロカプセル化したものが挙げられる。
【００４５】
用いることができるロイコ色素としては、電子供与性染料で、発色剤としての機能するものであれば、特に限定されものではない。具体的には、発色特性に優れるインクを得る点から、トリフェニルメタン系、スピロピラン系、フルオラン系、ジフェニルメタン系、ローダミンラクタム系、インドリルフタリド系、ロイコオーラミン系等従来公知のものが、単独（１種）で又は２種以上を混合して（以下、単に「少なくとも１種」という。）用いることができる。
【００４６】
具体的には、６−（ジメチルアミノ）−３，３−ビス[４−（ジメチルアミノ）フェニル]−１（３Ｈ）−イソベンゾフラノン、３，３−ビス（ｐ−ジメチルアミノフェニル）−６−ジメチルアミノフタリド、３−（４−ジエチルアミノフェニル）−３−（１−エチル−２−メチルインドール−３−イル）フタリド、３−（４−ジエチルアミノ−２−エトキシフェニル）−３−（１−エチル−２−メチルインドール−３−イル）−４−アザフタリド、１，３−ジメチル−６−ジエチルアミノフルオラン、２−クロロ−３−メチル−６−ジメチルアミノフルオラン、３−ジブチルアミノ−６−メチル−７−アニリノフルオラン、３−ジエチルアミノ−６−メチル−７−アニリノフルオラン、３−ジエチルアミノ−６−メチル−７−キシリジノフルオラン、２−（２−クロロアニリノ）−６−ジブチルアミノフルオラン、３，６−ジメトキシフルオラン、３，６−ジ−ｎ−ブトキシフルオラン、１，２−ベンツ−６−ジエチルアミノフルオラン、１，２−ベンツ−６−ジブチルアミノフルオラン、１，２−ベンツ−６−エチルイソアミルアミノフルオラン、２−メチル−６−（Ｎ−ｐ−トリル−Ｎ−エチルアミノ）フルオラン、２−（Ｎ−フェニル−Ｎ-−メチルアミノ）−６−（Ｎ−ｐ−トリル−Ｎ−エチルアミノ）フルオラン、２−（３’−トリフルオロメチルアニリノ）−６−ジエチルアミノフルオラン、３−クロロ−６−シクロヘキシルアミノフルオラン、２−メチル−６−シクロヘキシルアミノフルオラン、３−ジ（ｎ−ブチル）アミノ−６−メトキシ−７−アニリノフルオラン、３，６−ビス（ジフェニルアミノ）フルオラン、メチル−３’，６’−ビスジフェニルアミノフルオラン、クロロ−３’，６’−ビスジフェニルアミノフルオラン、３−メトキシ−４−ドデコキシスチリノキノリン、などが挙げられる。
【００４７】
これらのロイコ染料は、ラクトン骨格、ピリジン骨格、キナゾリン骨格、ビスキナゾリン骨格等を有するものであり、これらの骨格（環）が開環することで発色を発現するものである。
【００４８】
用いることができる顕色剤は、上記ロイコ色素を発色させる能力を有する成分となるものであり、例えば、フェノール樹脂系化合物、サリチル酸系金属塩化物、サリチル酸樹脂系金属塩化合物、固体酸系化合物等が挙げられる。
【００４９】
具体的には、ｏ−クレゾール、ターシャリーブチルカテコール、ノニルフェノール、ｎ−オクチルフェノール、ｎ−ドデシルフェノール、ｎ−ステアリルフェノール、ｐ−クロロフェノール、ｐ−ブロモフェノール、ｏ−フェニルフェノール、ヘキサフルオロビスフェノール、ｐ−ヒドロキシ安息香酸ｎ−ブチル、ｐ−ヒドロキシ安息香酸ｎ−オクチル、レゾルシン、没食子酸ドデシル、２，２−ビス（４’−ヒドロキシフェニル）プロパン、４，４−ジヒドロキシジフェニルスルホン、１，１−ビス（４’−ヒドロキシフェニル）エタン、２，２−ビス（４’−ヒドロキシ−３−メチルフェニル）プロパン、ビス（４−ヒドロキシフェニル）スルフィド、１−フェニル−１，１−ビス（ ４’−ヒドロキシフェニル）エタン、１，１−ビス（４’−ヒドロキシフェニル）−３−メチルブタン、１，１−ビス（４’−ヒドロキシフェニル）−２−メチルプロパン、１，１−ビス（４’−ヒドロキシフェニル）ｎ−ヘキサン、１，１−ビス（４’−ヒドロキシフェニル）ｎ−ヘプタン、１，１−ビス（４’−ヒドロキシフェニル）ｎ−オクタン、１，１−ビス（４’−ヒドロキシフェニル）ｎ−ノナン、１，１−ビス（４’−ヒドロキシフェニル）ｎ−デカン、１，１−ビス（４’−ヒドロキシフェニル）ｎ−ドデカン、２，２−ビス（４’−ヒドロキシフェニル）ブタン、２，２−ビス（４’−ヒドロキシフェニル）エチルプロピオネート、２，２−ビス（４’−ヒドロキシフェニル）−４−メチルペンタン、２，２−ビス（４’−ヒドロキシフェニル）ヘキサフルオロプロパン、２，２−ビス（４’−ヒドロキシフェニル）ｎ−ヘプタン、２，２−ビス（４’−ヒドロキシフェニル）ｎ−ノナンなどの少なくとも１種が挙げられる。
【００５０】
用いる顕色剤の使用量は、所望される色彩濃度に応じて任意に選択すればよく、特に限定されるものではないが、通常、上述したロイコ色素１質量部に対して、０．１〜１００質量部程度の範囲内で選択するのが好適である。
【００５１】
用いることができる変色温度調整剤は、上記ロイコ色素と顕色剤の呈色において変色温度をコントロールする物質である。用いることができる変色温度調整剤は、従来公知のものが使用可能である。具体的には、アルコール類、エステル類、ケトン類、エーテル類、酸アミド類、アゾメチン類、脂肪酸類、炭化水素類などが挙げられる。
【００５２】
より具体的には、ビス（４−ヒドロキシフェニル）フェニルメタンジカプリレート（Ｃ7Ｈ15）、ビス（４−ヒドロキシフェニル）フェニルメタンジラウレート（Ｃ11Ｈ23）、ビス（４−ヒドロキシフェニル）フェニルメタンジミリステート（Ｃ13Ｈ27）、ビス（４−ヒドロキシフェニル）フェニルエタンジミリステート（Ｃ13Ｈ27）、ビス（４−ヒドロキシフェニル）フェニルメタンジパルミテート（Ｃ15Ｈ30）、ビス（４−ヒドロキシフェニル）フェニルメタンジベヘネート（Ｃ21Ｈ43）、ビス（４−ヒドロキシフェニル）フェニルエチルヘキシリデンジミリステート（Ｃ13Ｈ27）等の少なくとも１種が挙げられる。
【００５３】
この変色温度調整剤の使用量は、所望されるヒステリシス幅及び発色時の色彩濃度等に応じて適宜選択すればよく、特に限定されるものではないが、通常、ロイコ色素１質量部に対して、１〜１００質量部程度の範囲内で使用するのが好ましい。
【００５４】
熱変色性マイクロカプセル顔料は、少なくとも上記ロイコ色素、顕色剤、変色温度調整剤を含む熱変色性組成物を、平均粒子径が０．２〜５μｍとなるように、マイクロカプセル化することにより製造することができる。マイクロカプセル化法としては、例えば、界面重合法、界面重縮合法、ｉｎｓｉｔｕ重合法、液中硬化被覆法、水溶液からの相分離法、有機溶媒からの相分離法、融解分散冷却法、気中懸濁被覆法、スプレードライニング法などを挙げることができ、用途に応じて適宜選択することができる。
【００５５】
例えば、水溶液からの相分離法では、ロイコ色素、顕色剤、変色温度調整剤を加熱溶融後、乳化剤溶液に投入し、加熱攪拌して油滴状に分散させ、次いで、カプセル膜剤として、樹脂原料などを使用、例えば、アミノ樹脂溶液、イソシアネート系樹脂溶液などを徐々に投入し、引き続き反応させて調製後、この分散液を濾過することにより目的の熱変色性のマイクロカプセル顔料を製造することができる。
【００５６】
これらのロイコ色素、顕色剤、変色温度調整剤の含有量は、用いるロイコ色素、顕色剤、変色温度調整剤の種類、マイクロカプセル化法などにより変動するが、当該色素１に対して、質量比で顕色剤０．１〜１００、変色温度調整剤１〜１００である。また、カプセル膜剤は、カプセル内容物に対して、質量比で０．１〜１である。
【００５７】
熱変色性マイクロカプセル顔料は、上記ロイコ色素、顕色剤及び変色温度調整剤の種類、量などを好適に組み合わせることにより、各色の発色温度（例えば、０℃以上で発色）、消色温度（例えば、５０℃以上で消色）を好適な温度に設定することができ、摩擦熱等の熱により有色から無色となることが好ましい。
【００５８】
熱変色性マイクロカプセル顔料では、描線濃度、保存安定性、筆記性の更なる向上の点から、壁膜がウレタン樹脂、ウレア／ウレタン樹脂、エポキシ樹脂、あるいはアミノ樹脂で形成されることが好ましい。ウレタン樹脂としては、例えば、イソシアネートとポリオールとの化合物が挙げられる。エポキシ樹脂としては、例えば、エポキシ樹脂とアミンの化合物が挙げられる。アミノ樹脂としては、メラミン樹脂、ウレア樹脂、ベンゾグアナミン樹脂などが挙げられる。マイクロカプセル色材の壁膜の厚さは、必要とする壁膜の強度や描線濃度に応じて適宜決められる。
【００５９】
熱変色性マイクロカプセル顔料の平均粒子径は、着色性、発色性、易消色性、安定性、インク中での流動性の点、並びに、筆記性への悪影響を抑制、後述する光変色性マイクロカプセル顔料との相用性などの点から、好ましくは、０．２〜５μｍ、さらに好ましくは、０．３〜３μｍである。なお、ここで規定する「平均粒子径」は、粒度分析計〔マイクロトラックＨＲＡ９３２０−Ｘ１００（日機装社製）〕にて、平均粒子径（５０％径）を測定（屈折率１．８）した値である。
【００６０】
この平均粒子径が０．２μｍ未満であると、十分な描線濃度が得られず、一方、５μｍを越えると、筆記性の劣化、熱変色性マイクロカプセル顔料の分散安定性の低下、振動によるインクバックが発生しやすくなり好ましくない。さらには９０％径が８μｍ以下、好ましくは６μｍ以下である。径が大きい粒子が一定割合以上存在すると、上述した影響がより顕著になる傾向がみられる。なお、上述した平均粒子径の範囲（０．２〜５μｍ）となるマイクロカプセル顔料は、マイクロカプセル化法により変動するが、水溶液からの相分離法などでは、マイクロカプセル顔料を製造する際の攪拌条件を好適に組み合わせることにより調製することができる。
【００６１】
熱変色性マイクロカプセル顔料の比重は、０．９〜１．３、好ましくは１．０〜１．２の範囲である。比重がこの範囲外であると、マイクロカプセル顔料の分散安定性が低下しやすい。また、比重が１．３を超えるマイクロカプセル顔料は、振動によってインクバックが発生しやすい。
【００６２】
筆記具用水性インク組成物において、上記熱変色性マイクロカプセル顔料の他、残部として溶媒である水（水道水、精製水、蒸留水、イオン交換水、純水等）の他、各筆記具用（ボールペン用、マーキングペン用等）の用途に応じて、その効果を損なわない範囲で、水溶性有機溶剤、増粘剤、潤滑剤、防錆剤、防腐剤もしくは防菌剤などを適宜含有することができる。
【００６３】
用いることができる水溶性有機溶剤としては、例えば、エチレングリコール、ジエチレングリコール、トリエチレングリコール、プロピレングリコール、ポリエチレングリコール、３−ブチレングリコール、チオジエチレングリコール、グリセリン等のグリコール類や、エチレングリコールモノメチルエーテル、ジエチレングリコールモノメチルエーテル、単独或いは混合して使用することができる。
【００６４】
これらのうち、インクバックによる筆記部でのインク固化を抑制する目的として、グリセリンを用いることが好ましく、その添加量はインク全量に対して１〜１０質量％であることが好ましい。グリセリンによる作用のメカニズムは不明だが、乾燥状態における顔料及びインク成分との凝集力を低下させる効果があるものと推察される。
【００６５】
用いることができる増粘剤としては、例えば、合成高分子、セルロースおよび多糖類からなる群から選ばれた少なくとも一種が好ましい。具体的には、アラビアガム、トラガカントガム、グアーガム、ローカストビーンガム、アルギン酸、カラギーナン、ゼラチン、キサンタンガム、ウェランガム、サクシノグリカン、ダイユータンガム、デキストラン、メチルセルロース、エチルセルロース、ヒドロキシエチルセルロース、カルボキシメチルセルロース、デンプングリコール酸及びその塩、アルギン酸プロピレングリコールエステル、ポリビニルアルコール、ポリビニルピロリドン、ポリビニルメチルエーテル、ポリアクリル酸及びその塩、カルボキシビニルポリマー、ポリエチレシオキサイド、酢酸ビニルとポリビニルピロリドンの共重合体、架橋型アクリル酸重合体及びその塩、非架橋型アクリル酸重合体及びその塩、スチレンアクリル酸共重合体及びその塩などが挙げられる。
【００６６】
これらのうち、多糖類を使用することが好ましい。多糖類はそのレオロジー特性から、振動による流動性への影響を受けにくい傾向があり、インクバックに起因する筆記不良等の不具合が生じにくい。特にキサンタンガムは、筆記具インクに要求されるその他の特性とのバランスに優れており好ましい。
【００６７】
潤滑剤としては、顔料の表面処理剤にも用いられる多価アルコールの脂肪酸エステル、糖の高級脂肪酸エステル、ポリオキシアルキレン高級脂肪酸エステル、アルキル燐酸エステル、高級脂肪酸アミドのアルキルスルホン酸塩、アルキルアリルスルホン酸塩、ポリアルキレングリコールの誘導体やフッ素系界面活性剤、ポリエーテル変性シリコーンなどが挙げられる。また、防錆剤としては、ベンゾトリアゾール、トリルトリアゾール、ジシクロへキシルアンモニウムナイトライト、サポニン類などが挙げられる。防腐剤もしくは防菌剤としては、フェノール、ナトリウムオマジン、安息香酸ナトリウム、ベンズイミダゾール系化合物などが挙げられる。
【００６８】
この筆記具用水性インク組成物を製造するには、従来から知られている方法が採用可能であり、例えば、上記熱変色性、光変色性マイクロカプセル顔料の他、上記水性における各成分を所定量配合し、ホモミキサー、もしくはディスパー等の攪拌機により攪拌混合することによって得られる。さらに必要に応じて、ろ過や遠心分離によってインク組成物中の粗大粒子を除去してもよい。
【００６９】
筆記具用水性インク組成物の粘度値は、２５℃、剪断速度３．８３／ｓにおいて、５００〜２０００ｍＰａ・ｓ、剪断速度３８３／ｓにおいて２０〜１００ｍＰａ・ｓであることが好ましい。上記粘度範囲に設定することによって、筆記性と経時安定性に優れたインクとすることができる。さらに、Ｓ＝αＤn（但し、１＞ｎ＞０）（Ｓは剪断応力（ｄｙｎ／ｃｍ2）、Ｄは剪断速度（ｓ-1）、αは非ニュートン粘性係数）で示される粘性式で求められる非ニュートン粘性指数ｎが、０．２〜０．６であることが好ましい。上記粘度範囲に加えて非ニュートン粘性指数ｎを上記範囲とすることで、振動に対するインクの流動性を適切に設定することが可能となり、インクバックの発生を防止することが可能となる。
【００７０】
筆記具用水性インク組成物の表面張力は、２５〜４５ｍＮ／ｍ、さらには３０〜４０ｍＮ／ｍであることが好ましい。この範囲内であれば、ペン先内部とインクの濡れ性のバランスが適切となり、インクバックの発生を防止することが可能となる。
【００７１】
リフィル内においては、インクのすぐ後方にインク追従体を配置してもよい。追従体を構成する材料としては、少なくとも、不揮発性若しくは難揮発性有機溶剤と、増粘剤とにより構成することができる。インク追従体に使用する不揮発性若しくは難揮発性有機溶剤は、インク追従体の基油として用いるものであり、例えば、流動パラフィンが用いられる。流動パラフィンには、鉱物油、化学合成油が用いられ、化学合成油としては、ポリブテン、ポリα−オレフィン、エチレンα−オレフィンオリゴマーなどを用いることができる。
【００７２】
用いることができる具体的な鉱物油としては、例えば、ダイアナプロセスオイルＮＳ−１００、ＰＷ−３２、ＰＷ−９０、ＮＲ−６８、ＡＨ−５８（出光興産社製）などが挙げられる。
【００７３】
用いることができる具体的なポリブテンとしては、例えば、ポリブテン２００Ｎ、ポリブテン３０Ｎ、ポリブテン１０Ｎ、ポリブテン５Ｎ、ポリブテン３Ｎ、ポリブテン０１５Ｎ、ポリブテン０６Ｎ、ポリブテン０Ｎ（以上、日本油脂社製）、ポリブテンＨＶ−１５（日本石油化学社製）、３５Ｒ（出光興産社製）などが挙げられる。
【００７４】
用いることができる具体的なポリα−オレフィンとしては、例えば、バーレルプロセス油Ｐ−２６、Ｐ−４６，Ｐ−５６、Ｐ−１５０，Ｐ−３５０，Ｐ−１５００、Ｐ−２２００、Ｐ−１００００、Ｐ−３７５００（松村石油社製）などが挙げられる。
【００７５】
用いることができる具体的なエチレンα−オレフィンオリゴマーとしては、例えば、ルーカント  ＨＣ−１０、ＨＣ−２０、ＨＣ−１００、ＨＣ−１５０、ＨＣ−６００、ＨＣ−２０００（以上、三井化学社製）などが挙げられる。
【００７６】
これらの不揮発性若しくは難揮発性有機溶剤は、１種または２種以上を合わせて使用することができる。
【００７７】
インク追従体に使用する増粘剤としては、例えば、リン酸エステルのカルシウム塩、微粒子シリカ、ポリスチレン−ポリエチレン／ブチレンゴム−ポリスチレンのブロックコポリマー、ポリスチレン−ポリエチレン／プロピレンゴム−ポリスチレンのブロックコポリマー、水添スチレン−ブタジエンラバー、スチレン−エチレンブチレン−オレフィン結晶のブロックコポリマー、オレフィン結晶−エチレンブチレン−オレフィン結晶のブロックコポリマー及びアセトアルコキシアルミニウムジアルキレートなどが挙げられ、これらは１種もしくは２種以上用いることができる。
【００７８】
用いることができるリン酸エステルのカルシウム塩の好ましい材料としては、ＣｒｏｄａｘＤＰ−３０１ＬＡ（クローダジャパン社製）等が挙げられる。用いることができる微粒子シリカは、親水性微粒子シリカと疎水性微粒子シリカがあり、親水性シリカの好ましい市販品としては、ＡＥＲＯＳＩＬ−３００、ＡＥＲＯＳＩＬ−３８０（日本アエロジル社製）等が挙げられ、また、疎水性シリカの好ましい材料としては、ＡＥＲＯＳＩＬ−９７４Ｄ、ＡＥＲＯＳＩＬ−９７２（日本アエロジル社製）等が挙げられる。
【００７９】
また、ポリスチレン−ポリエチレン／ブチレンゴム−ポリスチレンのブロックコポリマーの好ましい材料としては、クレイトンＧＦＧ−１９０１Ｘ、クレイトンＧＧ−１６５０（以上、シェルジャパン社製）、セプトン８００７、セプトン８００４（以上、クラレ社製）などが挙げられる。さらに、ポリスチレン−ポリエチレン／プロピレンゴム−ポリスチレンのブロックコポリマーの好ましい材料としては、クレイトンＧＧ−１７３０（シェルジャパン社製）、セプトン２００６、セプトン２０６３（以上、クラレ社製）などが挙げられる。
【００８０】
水添スチレン−ブタジエンラバーの好ましい材料としては、ＤＹＮＡＲＯＮ１３２０Ｐ、ＤＹＮＡＲＯＮ１３２１Ｐ（以上、ＪＳＲ社製）、タフテックＨｌ０４１、タフテックＨｌ１４１（以上、旭化成工業社製）などが挙げられる。
【００８１】
スチレン−エチレンブチレン−オレフィン結晶のブロックコポリマーの好ましい材料としては、ＤＹＮＡＲＯＮ４６００Ｐ（ＪＳＲ社製）等が挙げられ、オレフィン結晶−エチレンブチレン−オレフィン結晶のブロックコポリマーの好ましい材料としては、ＤＹＮＡＲＯＮ６２００Ｐ、ＤＹＮＡＲＯＮ６２０１Ｂ（ＪＳＲ社製）等が挙げられる。
【００８２】
アセトアルコキシアルミニウムジアルキレートの好ましい材料としては、プレンアクトＡＬ−Ｍ（味の素ファインテクノ社製）などが挙げられる。
【００８３】
これらの増粘剤の中で、本発明の効果をさらに発揮させる点から、スチレン−エチレンブチレン−オレフィン結晶のブロックコポリマー、オレフィン結晶−エチレンブチレン−オレフィン結晶のブロックコポリマーなどの熱可塑性オレフィン系エラストマーの使用が好ましい。
【００８４】
さらに、インクバックの発生を防止するインク追従体を得る点から、周波数領域１〜６３ｒａｄ／ｓで指数関数的に増加させながら周波数毎に測定したｔａｎδ値の平均値が１．０以上とすることが好ましく、１．７〜３．４とすることがさらに好ましい。
【００８５】
ここで、ｔａｎδは、損失弾性率／貯蔵弾性率を意味する値であり、従来では、周波数領域「１〜６３ｒａｄ／ｓ」で指数関数的に増加させながら周波数毎に測定したｔａｎδ値の平均値が１．０以下のものが好ましいことが知られていた。本発明では、上記１〜６３ｒａｄ／ｓで各周波数毎に測定したｔａｎδ値の平均値が１．０以上とすることにより、振動を吸収してインクバックの発生を防止することが可能となる。
【００８６】
熱変色性インクを変色させる摩擦体を形成する材料として、ポリアセタールやポリプロピレン等の合成樹脂、ゴム弾性材料と上記合成樹脂との混合物を用いることができ、これを、ＪＩＳ  Ｋ７２０４に規定された摩耗試験（ＡＳＴＭ  Ｄ１０４４）で荷重９．８Ｎ、１０００ｒｐｍ環境下において、テーバー摩耗試験機の摩耗輪ＣＳ−１７でのテーバー摩耗量が２５ｍｇ未満となるように構成し、摩擦体を形成する。
【００８７】
また、摩擦体の表面は、ＪＩＳ  Ｋ  ７２１５−１９８６に規定されたデュロメータＤ硬度が５０以上、８０未満であることが好ましい。それによって、軸筒に嵌合して筆記部を保護するというキャップの機能、及び、筆跡を変色させる摩擦体の機能に適した硬さが確保でき、より安定した擦過動作が可能となる。なお、摩擦体は、タッチペン、スタイラスペンとしても適用可能であり、導電性を付与してもよい。
【００８８】
また、摩擦体は、リフィルに収容された熱変色性インクの色よりも明度値が低い色で着色されていることが好ましい。すなわち、摩擦体の使用時に熱変色性インクが変色することなく摩擦体の表面に転写した場合に、熱変色性インクの転写を目立たなくすることができる。特に、摩擦体の色を黒色又は明度値が２．５以下とすることによって、摩擦体の使用に伴う表面の汚れも目立たなくすることができる。
【００８９】
明度値は汎用型色差計（ＴＣ−８６００Ａ、東京電色株式会社製）等の測定装置を用いてマンセル表色系を使用し、摩擦体の明度値は表面を測定し、熱変色性インクの明度値は、紙面（旧ＪＩＳ  Ｐ３２０１；化学パルプ１００％を原料に抄造された上質紙、坪量範囲４０〜１５７ｇ／ｍ２、白色度７５．０％以上）上に筆記速度４．５ｍ／ｍｉｎ、ピッチ間隔０．１ｍｍで筆記した描線上のインクを測定することによって求められる。
【００９０】
また、上述した実施形態におけるリフィル２の少なくとも１つを、鉛筆芯又は消しゴム消去性インクを収容するリフィルとし、残りのリフィル２を、熱変色性インクを収容したリフィルとしてもよい。この場合、キャップ３０を、プラスチック字消し又は消しゴムとすることによって、シャープペンシル芯、鉛筆芯又は消しゴム消去性インクによる筆跡が消去可能となる。さらに、プラスチック字消し又は消しゴムを用いて熱変色性インクによる筆跡を擦過し、摩擦熱を生じさせることによって筆跡を熱変色させることもできる。
【００９１】
したがって、プラスチック字消し又は消しゴムは、異なる種類の筆跡のための消去部材として使用可能、すなわち、鉛筆芯又は消しゴム消去性インクによる筆跡を消去する消去部材、及び、熱変色性インクの筆跡を熱変色させる（消去する）摩擦体として使用可能である。なお、ここでいう、プラスチック字消し又は消しゴムを用いて筆跡を消去可能とは、プラスチック字消し又は消しゴムで筆跡を擦過することによって、筆跡の周囲の紙面等を汚すことなく筆跡を消去可能であることをいう。
【００９２】
鉛筆芯は、例えば、焼成前の配合組成物として無機顔料、有機顔料、染料から選ばれる少なくとも１種の微粒子（但し、ガラス粉体を除く）を分散又は内包させた平均厚さ０．１〜２μｍ、アスペクト比５〜１５０であり、且つ、平面度が２００ｎｍ以下のフレーク状であるガラス粉体又は平均粒径０．１〜５０μｍ、真球度０．１〜５０μｍの粒状であるガラス粉体を鉛筆芯全量に対して、３〜８０重量％含有することが好ましい。
【００９３】
消しゴム消去性インクは、平均粒子径が２〜２０μｍであり、且つ、非熱可塑性である着色樹脂粒子をインク組成物全量に対して５〜３０重量％と、ガラス転移点が０℃未満である非着色粒子とを少なくとも含有することが好ましい。なお、ここで規定する「平均粒子径」は、上述したように、粒度分析計〔マイクロトラックＨＲＡ９３２０−Ｘ１００（日機装社製）〕にて、平均粒子径（５０％径）を測定（屈折率１．８）した値である。
【００９４】
この場合、摩擦体は、前述の摩擦体に加え、ガラス転移温度（Ｔｇ）の比較的高いシェルと、該シェルよりガラス転移温度（Ｔｇ）の比較的低いコアで構成されている一次粒径が２０〜８０μｍであるアクリル系熱可塑性樹脂粉末、可塑剤及び無機粉体と熱可塑性樹脂を含有し、その熱可塑性樹脂がポリ塩化ビニル樹脂又はその共重合体であり、無機粉体が炭酸カルシウム及び／又は炭酸マグネシウムであるものが、熱変色性インクの筆跡と消去可能なインクの筆跡を共に擦過により作用させることができるので好ましい。なお、「ガラス転移温度（Ｔｇ）」とは、アクリル樹脂粉末の非結晶部分の運動性が大きくなりゴム状態になる境目の温度をいう。
【００９５】
また、上述した実施形態におけるリフィル２の少なくとも１つを、非熱変色性インクを収容するリフィルとし、残りのリフィル２を、熱変色性インクを収容したリフィルとしてもよい。この場合、非熱変色性インクを収容するリフィルに対応するキャップ３０を、硬質プラスチックのような摩擦体よりも高い曲げ弾性率を有する材料で形成してもよい。それによって、キャップ３０の着脱時における触感によって、対応するリフィルに収容されているのが非熱変色性インクであるのか又は熱変色性インクであるのか認識することができる。さらに、非熱変色性インクを無彩色とし、熱変色性インクを有彩色とすることで、学習用に適した筆記具とすることができる。なお、無彩色とは、白色やグレー（灰色）、黒色等の、いわゆる色味のない明度のみを有する色をいい、有彩色とは、赤や緑、青等の、いわゆる色味があり明度や色相、彩度を有する色をいう。
【符号の説明】
【００９６】
１    両頭式筆記具
２    リフィル
３    筆記部
１０    軸筒
１６    第１凹部
１７    第２凹部
１９    係合突起
２０    取付部材
２３    係合凹部
２４    第１凸部
２５    第２凸部
３０    キャップ
３５    微小突起
【図１】
2019202539.tif 000003
【図２】
2019202539.tif 000004
【図３】
2019202539.tif 000005
【図４】
2019202539.tif 000006
【図５】
2019202539.tif 000007
【図６】
2019202539.tif 000008
【図７】
2019202539.tif 000009
【図８】
2019202539.tif 000010
【図９】
2019202539.tif 000011
【図１０】
2019202539.tif 000012
【図１１】
2019202539.tif 000013
【図１２】
2019202539.tif 000014